(57)【特許請求の範囲】
【請求項１】
開口が設けられた鉄筋コンクリート構造体における開口側の面で、該鉄筋コンクリート構造体が延びる第１方向と交差する第２方向において、前記開口を挟んで両側にそれぞれ貼着される第１、第２帯状補強シートと、
前記開口側の面で、前記第１方向において、前記開口を挟んで両側に、前記第１、第２帯状補強シートにそれぞれ接続して貼着される第３、第４帯状補強シートと、
前記開口側の前記第１方向の一方側で前記第１、第２、第３帯状補強シートを覆って貼着される第１幅広補強シート、及び前記開口の前記第１方向の他方側で前記第１、第２、第４帯状補強シートを覆って貼着される第２幅広補強シートと、
前記第１、第２幅広補強シートの端部を前記鉄筋コンクリート構造体の躯体にそれぞれ定着する定着手段と、
を備え、
前記第３、第４帯状補強シートは、それぞれＸ字状に配置されることを特徴とする鉄筋コンクリート構造体の補強構造。
【請求項２】
前記第１、第２幅広補強シートは、前記鉄筋コンクリート構造体における前記開口側の面から該開口側の面と反対側の面にわたって、前記鉄筋コンクリート構造体を巻回するように貼着されていることを特徴とする請求項１に記載の鉄筋コンクリート構造体の補強構造。
【請求項３】
前記定着手段は、ＣＦアンカーであることを特徴とする請求項１又は２に記載の鉄筋コンクリート構造体の補強構造。
【請求項４】
前記定着手段は、アングル部材と、取付ボルト・ナットとを有する定着金物であることを特徴とする請求項１又は２に記載の鉄筋コンクリート構造体の補強構造。
【請求項５】
前記鉄筋コンクリート構造体が梁であって、
前記ＣＦアンカーが、前記第１、第２帯状補強シートにそれぞれ接続して貼着される第５帯状補強シートを介して前記梁の一方側に設けられる柱に定着されるとともに、前記第１、第２帯状補強シートに接続して貼着される第６帯状補強シートを介して前記柱と反対側で梁に定着されることを特徴とする請求項３に記載の鉄筋コンクリート構造体の補強構造。
【請求項６】
前記第１、第２、第３及び第４帯状補強シートは、前記梁の前記開口側の面から該梁の底面に沿って折り曲げて貼着されていることを特徴とする請求項５に記載の鉄筋コンクリート構造体の補強構造。
【請求項７】
前記梁の下部には、垂れ壁が設けられ、
前記第１、第２幅広補強シートは前記ＣＦアンカーを介して前記垂れ壁に固定されることを特徴とする請求項５又は６に記載の鉄筋コンクリート構造体の補強構造。
【請求項８】
前記帯状補強シート及び前記幅広補強シートは、炭素繊維シートからなることを特徴とする請求項１〜７のいずれか一項に記載の鉄筋コンクリート構造体の補強構造。
【請求項９】
開口が設けられた鉄筋コンクリート構造体の開口側の面で、該鉄筋コンクリート構造体が延びる第１方向と交差する第２方向において、前記開口を挟んで両側に第１、第２帯状補強シートをそれぞれ貼着し、
前記開口側の面で、前記第１方向において、前記開口を挟んで両側に、前記第１、第２帯状補強シートにそれぞれ接続して第３、第４帯状補強シートをそれぞれＸ字状に配置して貼着し、
前記開口の前記第１方向の一方側で前記第１、第２、第３帯状補強シートを覆って第１幅広補強シートを貼着するとともに、前記開口の前記第１方向の他方側で前記第１、第２、第４帯状補強シートを覆って第２幅広補強シートを貼着し、
前記第１、第２幅広補強シートの端部を前記鉄筋コンクリート構造体の躯体に定着手段を用いてそれぞれ定着する、
ことを特徴とする鉄筋コンクリート構造体の補強方法。
【発明の詳細な説明】
【技術分野】
【０００１】
本発明は、鉄筋コンクリート構造体の補強構造及び鉄筋コンクリート構造体の補強方法にかかり、特に、既存の鉄筋コンクリート造の梁や柱に開口が設けられたときに、その開口が設けられた梁や柱の補強構造及び補強方法に関する。
【背景技術】
【０００２】
従来から、鉄筋コンクリート構造物、あるいは鉄骨鉄筋コンクリート構造物の梁には、設備配管等の機器類を通すための貫通孔や、機器類を収容するための貫通していない窪み、すなわち穴が設けられることがある。なお、本発明では、上述の貫通孔や穴を含めて「開口」とし、また、鉄骨鉄筋コンクリート構造物を含めて「鉄筋コンクリート構造物」と称している。
【０００３】
新築の鉄筋コンクリート造の梁に開口を設ける場合は、開口を設けることによる強度不足や剛性不足を補うために、開口を設けない場合よりも多くの鉄筋が配筋されている。したがって、新築の鉄筋コンクリート造の梁では、開口が設けられていることによる強度不足や剛性不足が生じることはない。
【０００４】
ところで、既設の鉄筋コンクリート造の梁に開口を設ける場合は、開口を設けることで強度不足や剛性不足が生じることがある。この場合は、強度不足や剛性不足を補うために、後から補強を行う必要がある。この補強として鉄筋量を増やす場合は、既設のコンクリートを大きくはつらなければならない。したがって、施工時の騒音が大きくなったり、粉塵が多く飛散してしまったり、工期が長くなってしまったりするという欠点がある。
【０００５】
このような欠点を解決するために、コンクリートのはつり作業を伴わない補強構造が提案されている。特許文献１では、開口の周囲に鋼板を設ける補強構造の例が示されている。すなわち、この特許文献１には、補強板としての一対の鋼板を梁の両面に固定して補強するようにしている。この鋼板は、本体部と屈曲部とからなるＬ型の断面形状を有しており、梁の両側面から下面に沿うように接着剤で貼り付けられる。そして、鋼板の本体部の上端部は、ボルトにより梁に定着されるように構成されている。
【０００６】
また、上述の鋼板に変えて炭素繊維シート等からなる補強シートを用いる補強方法も提案されている。この補強シートを用いる補強方法としては、コンクリート躯体の開口の周囲に補強シートを貼着したり、あるいは、その貼着した補強シートをボルトにより梁に定着したりして補強する方法が知られている。
【先行技術文献】
【特許文献】
【０００７】
【特許文献１】特開２００５−８３０４７号公報
【発明の概要】
【発明が解決しようとする課題】
【０００８】
上記補強シートを用いる補強方法は、特許文献１に記載されるような鋼板からなる補強板をコンクリート躯体に設ける場合と比べて、薄くて高強度のシートをコンクリート躯体に貼着するため、空間的な制約を受けることがなく、軽量でハンドリング性に優れ、作業能率・作業安全性の向上が図れるという特長を有している。
【０００９】
しかしながら、補強シートを用いる補強方法において、単にコンクリート躯体における開口の周囲に補強シートを貼着する場合は、開口が設けられる梁の耐力低下を補強する効果が低く、また、貼着した補強シートをボルトにより梁に定着する場合は、小さい径の開口のときはある程度の耐力低下の補強効果が期待できるが、その径が大きいときは耐力低下の補強効果が期待できないという課題があった。
【００１０】
そこで、本発明は、上記課題を解決するためなされたものであって、既設の鉄筋コンクリート造の梁や柱に大きい径の開口が設けられる場合でも、補強シートを用いて十分な耐力の補強効果を得ることのできる鉄筋コンクリート構造体の補強構造及び鉄筋コンクリート構造体の補強方法を提供することにある。
【課題を解決するための手段】
【００１１】
本発明に係る鉄筋コンクリート構造物の補強構造は、上記目的を達成するために、開口が設けられた鉄筋コンクリート構造体における開口側の面で、該鉄筋コンクリート構造体が延びる第１方向と交差する第２方向において、前記開口を挟んで両側にそれぞれ貼着される第１、第２帯状補強シートと、記開口側の面で、前記第１方向において、前記開口を挟んで両側に、前記第１、第２帯状補強シートにそれぞれ接続して貼着される第３、第４帯状補強シートと、前記開口側の前記第１方向の一方側で前記第１、第２、第３帯状補強シートを覆って貼着される第１幅広補強シート、及び前記開口の前記第１方向の他方側で前記第１、第２、第４帯状補強シートを覆って貼着される第２幅広補強シートと、前記第１、第２幅広補強シートの端部を前記鉄筋コンクリート構造体の躯体にそれぞれ定着する定着手段と、を備え、前記第３、第４帯状補強シートは、それぞれＸ字状に配置されることを特徴としている。
【００１２】
上記構成の鉄筋コンクリート構造体の補強構造では、開口が設けられている鉄筋コンクリート構造体の補強として、第１〜第４帯状補強シート、第１，第２幅広補強シート及び定着手段が用いられる。よって、第１幅広補強シートは、第１、第２、第３帯状補強シートの定着力を強化し、また、第２幅広補強シートは、第１、第２、第４帯状補強シートの定着力を強化することができる。
また、第３帯状補強シート及び第４帯状補強シートがそれぞれＸ字状にして帯状補強シートの傾きを二方向としている。よって、地震などの鉛直方向と水平方向との両方向の荷重が作用する場合には、第１帯状補強シートと第２帯状補強シートとを二方向で接続して、効果的に補強することができる。
【００１３】
本発明に係る鉄筋コンクリート構造物の補強構造は、前記第１、第２幅広補強シートは、前記鉄筋コンクリート構造体における前記開口側の面から該開口側の面と反対側の面にわたって、前記鉄筋コンクリート構造体を巻回するように貼着されていることを特徴としている。
【００１４】
上記構成の鉄筋コンクリート構造物の補強構造では、鉄筋コンクリート構造体における開口側の面から反対側の面にわたって、鉄筋コンクリート構造体を巻回するように第１、第２幅広補強シートが貼着されている。これにより、開口が鉄筋コンクリート構造体を貫通するような貫通孔であっても、鉄筋コンクリート構造体を巻回して開口側の面から反対側の面まで一体的に、第１、第２、第３、第４帯状補強シートの定着力を強化することができる。
【００１７】
本発明に係る鉄筋コンクリート構造物の補強構造は、定着手段はＣＦアンカーであることを特徴としている。
【００１８】
上記構成の鉄筋コンクリート構造体の補強構造では、定着手段はＣＦアンカーであるため、汎用の定着手段を採用することができる。
【００１９】
本発明に係る鉄筋コンクリート構造物の補強構造は、前記定着手段は、アングル部材と、取付ボルト・ナットとを有する定着金物であることを特徴としている。
【００２０】
上記構成の鉄筋コンクリート構造体の補強構造では、定着手段はアングル部材と、取付ボルト・ナットとを有する定着金物であるため、汎用の定着手段を採用することができる。
【００２１】
本発明に係る鉄筋コンクリート構造体の補強構造では、鉄筋コンクリート構造体が梁であって、前記ＣＦアンカーが、第１、第２帯状補強シートにそれぞれ接続して貼着される第５帯状補強シートを介して前記梁の一方側に設けられる柱に定着されるとともに、前記第１、第２帯状補強シートに接続して貼着される第６帯状補強シートを介して前記柱と反対側で梁に定着されることを特徴としている。
【００２２】
上記構成の鉄筋コンクリート構造体の補強構造では、開口が設けられている梁に隣接して柱が存在していても、容易に対処することができる。
【００２３】
本発明に係る鉄筋コンクリート構造体の補強構造は、第１、第２、第３及び第４帯状補強シートは、前記梁の前記開口側の面から該梁の底面に沿って折り曲げて貼着されていることを特徴としている。
【００２４】
上記構成の鉄筋コンクリート構造体の補強構造では、第１、第２、第３及び第４帯状補強シートのうち、梁の下端側に位置する部分は、梁の開口側の面から底面に沿って折り曲げられているので、開口が梁の底面に近く設けられていても補強効果を得ることができる。
【００２５】
本発明に係る鉄筋コンクリート構造体の補強構造は、梁の下部には、垂れ壁が設けられ、第１、第２幅広補強シートは前記ＣＦアンカーを介して前記垂れ壁に固定されることを特徴としている。
【００２６】
上記構成の鉄筋コンクリート構造体の補強構造では、梁の下部に垂れ壁が設けられていても、容易に対処することができる。
【００２７】
本発明に係る鉄筋コンクリート構造体の補強構造は、帯状補強シート及び幅広補強シートは炭素繊維シートからなることを特徴としている。
【００２８】
上記構成の鉄筋コンクリート構造体の補強構造では、帯状補強シート及び幅広補強シートが炭素繊維シートからなるので、補強効果を高めることができる。
【００２９】
本発明に係る鉄筋コンクリート構造物の補強方法は、上記目的を達成するために、開口が設けられた鉄筋コンクリート構造体の開口側の面で、該鉄筋コンクリート構造体が延びる第１方向と交差する第２方向において、前記開口を挟んで両側に第１、第２帯状補強シートをそれぞれ貼着し、前記開口側の面で、前記第１方向において、前記開口を挟んで両側に、前記第１、第２帯状補強シートにそれぞれ接続して第３、第４帯状補強シートをそれぞれＸ字状に配置して貼着し、前記開口の前記第１方向の一方側で前記第１、第２、第３帯状補強シートを覆って第１幅広補強シートを貼着するとともに、前記開口の前記第１方向の他方側で前記第１、第２、第４帯状補強シートを覆って第２幅広補強シートを貼着し、前記第１、第２幅広補強シートの端部を前記鉄筋コンクリート構造体の躯体に定着手段を用いてそれぞれ定着する、ことを特徴としている。
【００３０】
上記構成の鉄筋コンクリート構造物の補強方法では、開口が設けられる鉄筋コンクリート構造体の補強として、第１、第２、第３及び第４帯状補強シート、第１，第２幅広補強シート及び定着手段を用いられる。よって、第１幅広補強シートは、第１、第２、第３帯状補強シートの定着力を強化し、また、第２幅広補強シートは、第１、第２、第４帯状補強シートの定着力を強化することができる。
また、第３帯状補強シート及び第４帯状補強シートがそれぞれＸ字状にして帯状補強シートの傾きを二方向としている。よって、地震などの鉛直方向と水平方向との両方向の荷重が作用する場合には、第１帯状補強シートと第２帯状補強シートとを二方向で接続して、効果的に補強することができる。
【発明の効果】
【００３１】
本発明によれば、鉄筋コンクリート構造体の補強は、第１〜第４帯状補強シート、第１，第２幅広補強シート及び定着手段により構成されるので、第１幅広補強シートは、第１、第２、第３帯状補強シートの定着力を強化することができ、また、第２幅広補強シートは、第１、第２、第４帯状補強シートの定着力を強化することができる。したがって、鉄筋コンクリート造の梁や柱の構造物に後に開口が設けられても、その構造物の耐力を大きく向上させることができる。
【図面の簡単な説明】
【００３２】
【図１】（ａ），（ｃ），（ｅ）は、本発明の第１の実施形態に係る鉄筋コンクリート構造体の補強構造の施工工程を示す正面図、（ｂ），（ｄ），（ｆ）はそれぞれのＸ−Ｘ線断面図である。
【図２】（ａ）は、本発明の第２の実施形態に係る鉄筋コンクリート構造体の補強構造の正面図、（ｂ）は、（ａ）のＸ−Ｘ線断面図である。
【図３】（ａ）は、本発明の第３の実施形態に係る鉄筋コンクリート構造体の補強構造の正面図、（ｂ）は、（ａ）のＸ−Ｘ線断面図である。
【図４】（ａ）は、本発明の第４の実施形態に係る鉄筋コンクリート構造体の補強構造の正面図、（ｂ）は、（ａ）のＸ−Ｘ線断面図である。
【図５】（ａ）は、本発明の第５の実施形態に係る鉄筋コンクリート構造体の補強構造の正面図、（ｂ）は、（ａ）のＸ−Ｘ線断面図である。
【発明を実施するための形態】
【００３３】
以下、本発明の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００３４】
本発明の第１の実施形態に係る鉄筋コンクリート構造体の補強構造は、その補強対象物は鉄筋コンクリート造の梁１として示されている。この梁１は、水平方向（第１方向）に延び、図示しない鉄筋コンクリート造の建物の梁の一部分を示していて、その梁１の上面は、周知の鉄筋コンクリート造の建物と同様に、スラブ２と一体化されている。
【００３５】
この梁１の上下方向（第１方向）の中央部には開口３が設けられている。この開口３は鉄筋コンクリート構造物の完成後に設けられている。つまり、開口３は、既設の鉄筋コンクリート造の梁１に設けられたものである。この開口３は、軸心方向が梁１の長手方向と直交し、かつ、スラブ２の面方向と同方向とされ、所定の径を有している。図示の開口３の大きさは、梁１の高さに対して比較的大きな割合を占める貫通孔として示されている。なお、図１では、梁１及びスラブ２内に設けられている配筋は省略されている。後述する図２〜図５でも同様である。
【００３６】
さて、第１の実施形態に係る鉄筋コンクリート造の梁１の補強構造は、梁１における開口３が形成される面（開口側の面）１Ａ，１Ｂに設けられている。梁１の補強構造は、第１〜第４帯状補強シート１０〜１３と、第１，第２幅広補強シート２０，２１と、ＣＦアンカー３０と、を備えている。第１〜第４帯状補強シート１０〜１３は、炭素繊維シートからなり、所定幅の帯状（テープ状）に形成されている。第１，第２幅広補強シート２０，２１も炭素繊維シートからなり、第１〜第４帯状補強シート１０〜１３よりも幅広に作られている。また、ＣＦアンカー３０は、周知のＣＦアンカーと同様に、炭素繊維シートの原材料である炭素繊維ストランドの端部を扇形に成形加工したものである。すなわち、このＣＦアンカー３０は、多数本の炭素繊維等の強化繊維からなり、扇形の要に当たる基端部３０Ａ側が束ねられ、その基端部３０Ａと反対側の先端３０Ｂ側は扇形に広げられるように構成されている。
【００３７】
以下、図１（ａ）〜（ｆ）を用いて補強構造の施工順に説明する。
（第１帯状補強シートの貼着）
図１（ａ），（ｂ）に示すように、第１帯状補強シート１０は、梁１の面１Ａにおいて、開口３の上方に接着剤を用いて貼着される。すなわち、第１帯状補強シート１０は、開口３の上方で水平方向に沿うように梁１に貼着される。この第１帯状補強シート１０は、梁１における面１Ａとは反対側の面１Ｂにも同様に貼着される。なお、接着剤は、炭素繊維シート用として周知のエポキシ樹脂系やＭＭＡ（メタクリル酸メチル）樹脂等の接着剤が用いられる。以下の貼着においても同様の接着剤が用いられる。
【００３８】
（第２帯状補強シートの貼着）
第２帯状補強シート１１は、梁１の面１Ａにおいて、開口３の下方に接着剤を用いて貼着される。すなわち、第２帯状補強シート１１は、開口３の下方で水平方向に沿うように梁１に貼着される。この第２帯状補強シート１１は、梁１の面１Ｂにも同様に貼着される。
【００３９】
（第３帯状補強シートの貼着）
図１（ｃ），（ｄ）に示すように、第３帯状補強シート１２は、梁１の面１Ａにおいて、一方の第３帯状補強シート１２ａ及び他方の第３帯状補強シート１２ｂからなる一対の帯状補強シートをＸ字状に配置して構成されている。そして、この第３帯状補強シート１２は、開口３を中心にして左側に配置されている。また、第３帯状補強シート１２は、上端側で第１帯状補強シート１０に接続するとともに、下端側で前記第２帯状補強シート１１に接続して梁１に貼着される。この第３帯状補強シート１２は、梁１の面１Ｂにも同様に貼着される。
【００４０】
（第４帯状補強シートの貼着）
第４帯状補強シート１３は、梁１の面１Ａにおいて、第３帯状補強シート１２と同様に、一方の第４帯状補強シート１３ａ及び他方の第４帯状補強シート１３ｂからなる一対の帯状補強シートをＸ字状に配置して構成されている。そして、この第４帯状補強シート１３は、開口３を中心にして右側に配置されている。また、第４帯状補強シート１３は、上端側で第１帯状補強シート１０に接続するとともに、下端側で前記第２帯状補強シート１１に接続して梁１に貼着される。この第４帯状補強シート１３は、梁１の面１Ｂにも同様に貼着される。
【００４１】
Ｘ字状に配置される第３帯状補強シート１２及び第４帯状補強シート１３は、左右に位置するＸ字の一部が重なり合うようにして貼着される。本実施形態には、一方の第３帯状補強シート１２ａの下部と他方の第４帯状補強シート１３ｂの下部とが重なり合うようにして貼着される。また、他方の第３帯状補強シート１２ｂの上部と一方の第４帯状補強シート１３ａの上部とが重なり合うようにして貼着される。また、第３帯状補強シート１２及び第４帯状補強シート１３の各帯状補強シートの重畳位置は、開口３の中心を通る鉛直線上に位置している。
【００４２】
（第１幅広補強シートの貼着）
図１（ｅ），（ｆ）に示すように、第１幅広補強シート２０は、開口３を中心にして梁１の左側に貼着されるとともに、第１、第２及び第３帯状補強シート１０，１１，１２を接続するように貼着されている。また、第１幅広補強シート２０は、梁１の底面１Ｃを支えるように貼着される。すなわち、この第１幅広補強シート２０は、梁１の面１Ａの第１帯状補強シート１０から梁１の底面１Ｃを経由して梁１の面１Ｂの第１帯状補強シート１０に達し、梁１を巻回するように貼着されている。また、第１幅広補強シート２０の幅は、Ｘ字状に配置される第３帯状補強シート１２のほぼ全面を覆うように決められている。
【００４３】
（第２幅広補強シートの貼着）
第２幅広補強シート２１は、開口３を中心にして梁１の右側に貼着されるとともに、第１、第２及び第４帯状補強シート１０，１１，１３を接続するように貼着されている。また、第２幅広補強シート２１は、梁１の底面１Ｃを支えるように貼着される。すなわち、この第２幅広補強シート２１は、梁１の面１Ａの第１帯状補強シート１０から梁１の底面１Ｃを経由して梁１の面１Ｂの第１帯状補強シート１０に達するように貼着されている。また、第１幅広補強シート２０の幅は、Ｘ字状に配置される第４帯状補強シート１３のほぼ全面を覆うように決められている。
【００４４】
（ＣＦアンカーの貼着）
ＣＦアンカー３０は、第１幅広補強シート２０及び第２幅広補強シート２１の幅方向に所定の間隔を保って複数個設けられている。また、ＣＦアンカー３０は、第１幅広補強シート２０及び第２幅広補強シート２１の第１帯状補強シート１０側を梁１の上面側に位置するスラブ２にそれぞれ固定するように設けられる。すなわち、ＣＦアンカー３０は、その扇面側が第１幅広補強シート２０及び第２幅広補強シート２１にそれぞれ貼着され、基部部分がスラブ２に開けられた穴にそれぞれ挿入されて貼着される。これらＣＦアンカー３０の貼着により、鉄筋コンクリート造の梁１に開口３が設けられたときのその梁１を補強する補強構造が完成される。
【００４５】
上記構成からなる補強構造は、第１〜第４帯状補強シート１０〜１３と、第１，第２幅広補強シート２０，２１と、ＣＦアンカー３０と、を備えている。よって、第１幅広補強シート２０は、第１、第２、第３帯状補強シート１０，１１，１２の定着力を強化することができ、また、第２幅広補強シート２１は、第１、第２、第４帯状補強シート１０，１１，１３の定着力を強化することができる。したがって、鉄筋コンクリート造の梁１に開口３が設けられてもその梁１の耐力を大きく向上させることができる。しかも、この補強構造は炭素繊維シートの貼着により得られるので、材料が軽量で施工性に優れていて工期を短くでき、火気や水気を使用せずに工事を行うことができる等の特長がある。
【００４６】
また、上記構成からなる補強構造においては、第１幅広補強シート２０及び第２幅広補強シート２１が、梁１の面１Ａ、底面１Ｃ及び面１Ｂに沿って断面視Ｕ字状に、梁１を巻回するように貼着されている。よって、梁１の面１Ａ側から面１Ｂ側まで一体的に、第１〜第４帯状補強シート１０〜１３の定着力を強化して、梁１の耐力を得ることができる。
【００４７】
また、上記構成からなる補強構造においては、第１帯状補強シート１０及び第２帯状補強シート１１の貼着の後に第３帯状補強シート１２及び第４帯状補強シート１３を貼着したが、先に第３帯状補強シート１２及び第４帯状補強シート１３を貼着した後に第１帯状補強シート１０及び第２帯状補強シート１１を貼着してもよい。
【００４８】
また、上記構成からなる補強構造においては、梁１の面１Ａ，１Ｂにも第１帯状補強シート１０〜第４帯状補強シート１３を貼着したが、開口３が面１Ａから面１Ｂに達しない非貫通の穴の場合等には、その面１Ｂ側の第１帯状補強シート１０〜第４帯状補強シート１３を省略することもできる。
【００４９】
また、上記構成からなる補強構造においては、梁１の面１Ａ，１Ｂに加えて、底面１Ｃにも第１，第２幅広補強シート２０，２１を貼着したが、底面１Ｃへの第１，第２幅広補強シート２０，２１の貼着を省略することもできる。
【００５０】
また、上記構成からなる補強構造においては、第３帯状補強シート１２及び第４帯状補強シート１３は、開口３の上側及び下側でそれぞれ重なり合うようにして貼着されているが、重ならないように貼着してもよい。
【００５１】
また、上記構成からなる補強構造においては、第３帯状補強シート１２及び第４帯状補強シート１３をそれぞれＸ字状とした。これにより、上述のように、第３帯状補強シート１２及び第４帯状補強シート１３をそれぞれＸ字状にして帯状補強シートの傾きを両方向とした場合は、地震などの両方向の荷重に対して効果的に対処することができる。
その一方で、一方の第３帯状補強シート１２ａ及び一方の第４帯状補強シート１３ａ、又は、他方の第３帯状補強シート１２ｂ及び他方の第４帯状補強シート１３ｂのみの、帯状補強シートの傾きが一方向とすることもできる。例えば、開口３の両側に鉛直状の一本の帯状補強シートをそれぞれ貼着するようにしてもよい。この場合でも、それら鉛直状の一本の帯状補強シートと第１、第２帯状補強シート１０，１１とは、第１、第２幅広補強シート２０、２１でそれぞれ定着力が強化されるので、鉄筋コンクリート造の梁１に開口３が設けられてもその梁１の耐力を大きく向上させることができる。
【００５２】
図２（ａ），（ｂ）は、本発明の第２の実施形態に係る鉄筋コンクリート造の梁１の補強構造を示している。
以下の実施形態において、前述した実施形態で用いた部材と同一の部材には同一の符号を付して、その説明を省略する。
この補強構造は、上記第１の実施形態に係る補強構造のＣＦアンカー３０の定着手段に変えてアングル部材４０及び取付ボルト・ナット４１からなる定着金物が用いられている。この補強構造においては、第１，第２幅広補強シート２０，２１がアングル部材４０及び取付ボルト・ナット４１を介してスラブ２にそれぞれ固定されるので、上記第１の実施形態に係る補強構造と同様に、開口３が設けられる梁１の耐力を大きく向上させる等の効果を得ることができる。
また、定着手段は、上記以外にも、補強シートを固定できるものであれば、鋼材を加工した部材等適宜採用可能である。
【００５３】
図３（ａ），（ｂ）は、本発明の第３の実施形態に係る鉄筋コンクリート造の梁１の補強構造を示している。この補強構造は、開口３の近くに梁１及びスラブ２に接続される柱４が設けられていて、ＣＦアンカー３０の数が上記第１の実施形態に係る補強構造より多く設置されている。
【００５４】
この補強構造では、梁１の面１Ａには、柱４に沿って第５帯状補強シート１４が貼着されている。また、梁１の面１Ａには、柱４と反対側に、第６帯状補強シート１５が貼着されている。これら第５帯状補強シート１４及び第６帯状補強シート１５の上に、第１帯状補強シート１０及び第２帯状補強シート１１が、端部を重ねるように貼着されている。
そして、ＣＦアンカー３０が第１帯状補強シート１０及び第２帯状補強シート１１に接続し、かつ、柱４側に貼着される第５帯状補強シート１４を介して柱に固定されている。また、ＣＦアンカー３０はその柱４の位置と反対側で第１帯状補強シート１０及び第２帯状補強シート１１に接続して貼着される第６帯状補強シート１５を介して梁１に固定されている。この補強構造においても、上記第１の実施形態に係る補強構造と同様に、開口３が設けられる梁１の耐力を大きく向上させる等の効果を得ることができる。
【００５５】
図４（ａ），（ｂ）は、本発明の第４の実施形態に係る鉄筋コンクリート造の梁１の補強構造を示している。
この補強構造は、上記第１の実施形態に係る補強構造の第２帯状補強シート１１、第１幅広補強シート２０及び第２幅広補強シート２１の下端側に位置する部分は、梁１の面１Ａから底面１Ｃ沿って折り曲げられて貼着されている。この補強構造においては、開口３が梁１の底面１Ｃに近く設けられていても、上記第１の実施形態に係る補強構造と同様に、開口３が設けられる梁１の耐力を得ることができる。
【００５６】
図５（ａ），（ｂ）は、本発明の第５の実施形態に係る鉄筋コンクリート造の梁１の補強構造を示している。この補強構造は、梁１の底面１Ｃに梁１に沿って延びる垂れ壁５が梁１に一体的に設けられている場合に、ＣＦアンカー３０が垂れ壁５を貫通して設けられている。
【００５７】
この補強構造では、第１幅広補強シート２０及び第２幅広補強シート２１のうち、垂れ壁５にあたる部分がそれぞれ切り欠かれている。そして、その切り欠かれている第１幅広補強シート２０及び第２幅広補強シート２１は、垂れ壁５を貫通して設けられるＣＦアンカー３０を用いてそれぞれ貼着されている。この補強構造においては、垂れ壁５が設けられていても、上記第１の実施形態に係る補強構造と同様に、梁１の面１Ａ側から面１Ｂ側まで一体的に、第１〜第４帯状補強シート１０〜１３の定着力を強化して、梁１の耐力を得ることができる。
【００５８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５９】
例えば、補強シートは連続繊維で構成されていることが好ましい。また、上記の例では、炭素繊維シートを用いたが、アラミド繊維やガラス繊維、ポリエステル繊維等の他の材質の補強シートを用いることもできる。また、形状は、幅広に形成されたシート状のものや、幅の狭いテープ状のもの等がある。
また、上述の例では、補強対象物は鉄筋コンクリート造の梁として示したが、鉄筋コンクリート造の柱を補強対象物としてもよい。
【００６０】
また、上記に示す実施形態において、開口３は梁１の上下方向の中央部に一つ設けられているが、本発明はこれに限られない。開口は、梁１の上部や下部等その位置は適宜設定可能である。また、複数の開口が設けられ、これら複数の開口をまとめて一の開口群として補強するように、開口群を挟んで第２方向の両側に第１，第２帯状補強シートを貼着し、開口群を挟んで第１方向の両側に第３，４帯状補強シートを貼着するように構成されていてもよい。
【符号の説明】
【００６１】
１……梁
２……スラブ
３……開口
４……柱
５……垂れ壁
１０……第１帯状補強シート
１１……第２帯状補強シート
１２……第３帯状補強シート
１２ａ……一方の第３帯状補強シート
１２ｂ……他方の第３帯状補強シート
１３……第４帯状補強シート
１３ａ……一方の第４帯状補強シート
１３ｂ……他方の第４帯状補強シート
１４……第５帯状補強シート
１５……第６帯状補強シート
２０……第１幅広補強シート
２１……第２幅広補強シート
３０……ＣＦアンカー（定着手段）
４０……アングル部材（定着金物，定着手段）
４１……取付ボルト・ナット（定着金物，定着手段）
【図１】
0006528268.tif 000002
【図２】
0006528268.tif 000003
【図３】
0006528268.tif 000004
【図４】
0006528268.tif 000005
【図５】
0006528268.tif 000006